(57)【要約】【課題】壁パネルの厚みを利用して、風呂蓋が収納できることは勿論、浴槽の広さを広げることができる壁パネルを提供する。【解決手段】収納して係止可能な風呂蓋係止体が配設されてなる壁パネルにおいて、前記凹部の下側には、浴槽の端部を収納すると共に、前記凹部は、浴槽が収められる部分の幅寸法が、該部より上部に形成された風呂蓋収納部の幅寸法より小さく形成した。また、前記凹部の浴槽上端部が収納される部位より下方に、浴槽固定金具を取り付けるための平面部を形成した。【選択図】図１
2007162347.tif 000002
【特許請求の範囲】
【請求項１】
浴室の壁パネルの一部に、浴室外側に向かって突出する凹部を形成し、該凹部に風呂蓋を収納して係止可能な風呂蓋係止体が配設されてなる壁パネルにおいて、前記凹部の下側には、浴槽の端部が収納されることを特徴とする壁パネル。
【請求項２】
前記凹部は、浴槽が収められる部分の幅寸法が、該部より上部に形成された風呂蓋収納部の幅寸法より小さく形成されていることを特徴とする請求項１に記載の壁パネル。
【請求項３】
前記凹部の浴槽上端部が収納される部位より下方に、浴槽固定金具を取り付けるための平面部が形成されていることを特徴とする請求項１又は請求項２のいずれかに記載の壁パネル。
【発明の詳細な説明】
【技術分野】
【０００１】
この発明は、ユニットバス等の浴室の側壁を構成する壁パネルに係り、特に、風呂蓋を収納する凹部が形成されてなる壁パネルに関する。
【背景技術】
【０００２】
従来のこの種の壁パネルとしては、特許文献１に示すようなものが公知である。この従来技術は、ユニットバスの側壁を構成する壁パネルの一部に、浴室外側に向かって突出する凹部を備え、該凹部に風呂蓋を収納して固定する風呂蓋固定具を備えた浴室の凹部底面を、浴室内側に向かって下方となるように傾斜した面または曲面で構成した浴室である。
【０００３】
【特許文献１】特開平２００１−２３８８１１
【発明の開示】
【発明が解決しようとする課題】
【０００４】
しかしながら、上記従来の壁パネルは、風呂蓋を凹部に収納することはできても、浴槽を取り付ける部分には凹部が形成されていない構成であるため、浴槽の広さを広げることができない、という問題を有していた。
【０００５】
この発明は、かかる現状に鑑み創案されたものであって、その目的とするところは、壁パネルの厚みを利用して、風呂蓋が収納できることは勿論、浴槽の広さを広げることができる壁パネルを提供しようとするものである。
【課題を解決するための手段】
【０００６】
上記目的を達成するため、請求項１に記載の発明にあっては、浴室の壁パネルの一部に、浴室外側に向かって突出する凹部を形成し、該凹部に風呂蓋を収納して係止可能な風呂蓋係止体が配設されてなる壁パネルにおいて、前記凹部の下側には、浴槽の端部が収納されることを特徴とする。
【０００７】
請求項２に記載の発明は、請求項１に記載の壁パネルを技術的前提とし、前記凹部は、浴槽が収められる部分の幅寸法が、該部より上部に形成された風呂蓋収納部の幅寸法より小さく形成されていることを特徴とする。
【０００８】
請求項３に記載の発明は、請求項１又は請求項２のいずれかに記載の壁パネルを技術的前提とし、前記凹部の浴槽上端部が収納される部位より下方に、浴槽固定金具を取り付けるための平面部が形成されていることを特徴とする。
【発明の効果】
【０００９】
請求項１に記載の発明にあっては、浴室の壁パネルの一部に、浴室外側に向かって突出する凹部を形成し、該凹部に風呂蓋を収納して係止可能な風呂蓋係止体が配設されてなる壁パネルにおいて、前記凹部の下側には、浴槽の端部が収納されるように構成したので、壁パネルの厚みを利用して、風呂蓋が収納できることは勿論、浴槽の広さを広げることができる。
【００１０】
請求項２に記載の発明は、前記凹部の浴槽が収められる部分の幅寸法を、該部より上部に形成された風呂蓋収納部の幅寸法より小さく形成したので、風呂蓋収納部の凹部を大きく形成することができ、風呂蓋の出し入れがし易く、また、浴槽を設置する場合に、該凹部の下部は浴槽と略同一の寸法でなければならないが、凹部の上部も凹部の下部と同じ寸法とした場合には、浴槽を降ろしたときに壁パネルが傷損し易いが、この発明の構成によれば、壁パネルが傷損する心配がなく、浴槽の設置作業性が向上する。
【００１１】
請求項３に記載の発明は、前記凹部の浴槽上端部が収納される部位より下方に、浴槽固定金具を取り付けるための平面部が形成されているので、浴槽と壁パネルとを強固に固定することができる。
【発明を実施するための最良の形態】
【００１２】
以下、添付図面に示す発明の実施例に基づき、この発明を詳細に説明する。
【００１３】
図１は、この発明の一実施例に係る壁パネルの斜視図を、図２は同壁パネルの正面図を、図３は同壁パネルの右側面図を、図４は同壁パネルの左側面図を、図５は同壁パネルのＡ―Ａ線断面図を、図６は同壁パネルの平面図を、図７は同壁パネルの底面図を、図８は同壁パネルのＣ−Ｃ線断面図を、図９は同壁パネルのＤ−Ｄ線断面図を、図１０は同壁パネルの上端部の構成を示す断面図を、図１１は同壁パネルの下端部の構成を示す断面図を、図１２は同壁パネルの左側端部の構成を示す断面図を、図１３は同壁パネルに浴槽を装着した状態を示す断面図を、図１４は同壁パネルに浴槽を装着した状態を示す平面図を、図１５は同壁パネルに取り付けられる風呂蓋係止具の一例を示す断面図を、図１６は同壁パネルに浴槽を固定する金具の取付例を示す分解斜視図を夫々示している。
【００１４】
即ち、この実施例に係る壁パネル１は、ユニットバス等の浴室の壁パネルとして用いられ、該壁パネル１の一部には、浴室外側に向かって突出する凹部２が形成され、該凹部２に、図１に示すように風呂蓋Ｐを収納して係止可能な風呂蓋係止具３（図１５参照）が配設されている。
【００１５】
この壁パネル１は、鋼板或いは硬質合成樹脂で形成されており、上記凹部２は、プレス成型或いは射出成型により一体形成されている。
【００１６】
また、上記凹部２の下側には、浴槽４の端部４Ａが収納されるように構成されている。
【００１７】
さらに、上記凹部２の浴槽４が収められる部分２Ｂの幅寸法Ｌ１は、該部２Ｂより上部に形成された風呂蓋収納部２Ａの幅寸法Ｌ２より小さく（Ｌ１＜Ｌ２）形成されており、風呂蓋収納部２Ａの凹部２を大きく形成することができるので、風呂蓋の出し入れがし易い。
【００１８】
また、この実施例では、上記浴槽４が収納される部分２Ｂの浴室外側方向への突出量Ｌ３を、風呂蓋収納部２Ａよりも大きくしたので、浴槽４をより大きく広げることができる。尚、浴槽４を設置する場合に、該凹部２の下部２Ｂは浴槽と略同一の寸法でなければならないが、本実施例では、上記のように構成したので、壁パネル１を傷損させる心配がなく、浴槽４の設置作業性も向上する。
【００１９】
そして、上記壁パネル１の左右両端部は、他の壁パネルと嵌合係止可能に形成されており、本実施例では、右側端部１Ａが図８と図９に示すように浴室外側方向に突出され、また、左側端部１Ｂが図１２に示すように浴室外側方向に折曲形成されている。さらに、上記壁パネル１の上下両端部には、図１０と図１１に示すように、天井パネル接合部１Ｃ及び床パン接合部１Ｄが形成されており、夫々が天井パネル及び床パンに水密状態で嵌合固定される。勿論、これらの左右の両端部形状及び接合部の構造は、本実施例に限定されるものではなく、接合されるパネルの形状に対応させて適宜変更して用いることができる。
【００２０】
また、前記凹部２の浴槽上端部４Ａが収納される部位２Ｃ，２Ｄは、浴槽の胴部形状に対応させて下方に傾斜するように、即ち、幅寸法が徐々に狭まるように形成されている。尚、浴槽４の壁パネル１への固定は、図１６に示すＬ字型の浴槽固定金具５を用い、ビス７やボルトナット等の止着具を介して壁パネル１の平面部１Ｆに強固に固定することができる。
【００２１】
そして、上記凹部２の風呂蓋収納部２Ａには、図１５に示す風呂蓋係止具３が止着される。この風呂蓋係止具３は、上下に一対のビス孔８，８が開設されたベース部材９と、このベース部材９に一端部が嵌合係止される筒状部材１０と、この筒状部材１０の他端部に嵌合係止されるカバー１１と、から構成されており、該係止具３を上記風呂蓋収納部２Ａに固定する場合には、先ず、ベース部材９をビスで当該取付部位に固定した後、筒状部材１０の一端部をベース部材９に嵌合係止し、次に、該筒状部材１０の他端部にカバー１１を嵌合係止して取り付ける。取り外す場合には、上記手順と逆の手順で容易に取り外すことができる。勿論、この風呂蓋係止具３は、図示のものに限定されるものではなく、他の公知の風呂蓋係止具を用いることもできる。
【図面の簡単な説明】
【００２２】
【図１】この発明の一実施例に係る壁パネルの斜視図である。
【図２】同壁パネルの正面図である。
【図３】同壁パネルの右側面図である。
【図４】同壁パネルの左側面図である。
【図５】同壁パネルのＡ―Ａ線断面図である。
【図６】同壁パネルの平面図である。
【図７】同壁パネルの底面図である。
【図８】同壁パネルのＣ−Ｃ線断面図である。
【図９】同壁パネルのＤ−Ｄ線断面図である。
【図１０】同壁パネルの上端部の構成を示す断面図である。
【図１１】同壁パネルの下端部の構成を示す断面図である。
【図１２】同壁パネルの左側端部の構成を示す断面図である。
【図１３】同壁パネルに浴槽を装着した状態を示す断面図である。
【図１４】同壁パネルに浴槽を装着した状態を示す平面図である。
【図１５】同壁パネルに取り付けられる風呂蓋係止具の一例を示す断面図である。
【図１６】同壁パネルに浴槽を固定する金具の取付例を示す分解斜視図である。
【符号の説明】
【００２３】
Ｐ  風呂蓋
１  壁パネル
２  凹部
２Ａ  風呂蓋収納部
２Ｂ  浴槽収納部
３  風呂蓋係止具
４  浴槽
４Ａ  浴槽の上端部
５  浴槽固定金具
【図１】
2007162347.tif 000003
【図２】
2007162347.tif 000004
【図３】
2007162347.tif 000005
【図４】
2007162347.tif 000006
【図５】
2007162347.tif 000007
【図６】
2007162347.tif 000008
【図７】
2007162347.tif 000009
【図８】
2007162347.tif 000010
【図９】
2007162347.tif 000011
【図１０】
2007162347.tif 000012
【図１１】
2007162347.tif 000013
【図１２】
2007162347.tif 000014
【図１３】
2007162347.tif 000015
【図１４】
2007162347.tif 000016
【図１５】
2007162347.tif 000017
【図１６】
2007162347.tif 000018